(57)【特許請求の範囲】
【請求項１】
測光して算出される露出量に基づいて所定のプログラム線図からシャッタ速度及び絞りを設定する露出制御装置において、
撮影に使用するＩＳＯ感度の上限値を設定するＩＳＯ感度設定手段と、
前記ＩＳＯ感度設定手段によって設定されるＩＳＯ感度の上限値に応じて、前記所定のプログラム線図においてＩＳＯ感度を変更するポイントを決定するＩＳＯ感度変更ポイント決定手段と、
を有し、
前記ＩＳＯ感度変更ポイント決定手段は、
前記ＩＳＯ感度設定手段によるＩＳＯ感度の上限値の増減に合わせて、前記ＩＳＯ感度を変更するポイントを変える、
露出制御装置。
【請求項２】
測光して算出される露出量に基づいて所定のプログラム線図からシャッタ速度及び絞りを設定する露出制御装置において、
撮影に使用するＩＳＯ感度の下限値を設定するＩＳＯ感度設定手段と、
前記ＩＳＯ感度設定手段によって設定されるＩＳＯ感度の下限値に応じて、前記所定のプログラム線図においてＩＳＯ感度を変更するポイントを決定するＩＳＯ感度変更ポイント決定手段と、
を有し、
前記ＩＳＯ感度変更ポイント決定手段は、
前記ＩＳＯ感度設定手段によるＩＳＯ感度の下限値の増減に合わせて、前記ＩＳＯ感度を変更するポイントを変える、
露出制御装置。
【請求項３】
測光して算出される露出量に基づいて所定のプログラム線図からシャッタ速度及び絞りを設定する露出制御装置において、
撮影に使用するＩＳＯ感度の少なくとも上限値又は下限値を設定するＩＳＯ感度設定手段と、
前記ＩＳＯ感度設定手段によって設定されるＩＳＯ感度の上限値又は下限値に応じて、前記所定のプログラム線図においてＩＳＯ感度を変更するポイントを決定するＩＳＯ感度変更ポイント決定手段と、
を有し、
前記ＩＳＯ感度変更ポイント決定手段は、
前記ＩＳＯ感度設定手段によるＩＳＯ感度の範囲の幅の増減に合わせて、前記ＩＳＯ感度を変更するポイントを変える、
露出制御装置。
【請求項４】
前記ＩＳＯ感度変更ポイント決定手段はさらに、
前記ＩＳＯ感度の範囲の幅の上限値又は下限値に応じて、前記ＩＳＯ感度を変更するポイントを変える、
ことを特徴とする請求項３に記載の露出制御装置。
【請求項５】
請求項１から請求項４のいずれか一項に記載の露出制御装置を備える電子カメラ。
【発明の詳細な説明】
【技術分野】
【０００１】
本発明は、設定された感度範囲における露出制御装置と該露出制御装置を備える電子カメラに関する。
【背景技術】
【０００２】
従来から、電子カメラで適正な露出を得るために、以下の式（１）によるＡＰＥＸ（Additive System of Photographic Exposure）演算を行って露出量ＥＶ（Exposure Value）を求めている。
【０００３】
ＥＶ＝ＴＶ＋ＡＶ＝ＢＶ＋ＳＶ・・・（１）
【０００４】
ここで、ＴＶはＡＰＥＸ単位によるシャッタ速度であり、実際のシャッタ速度が１秒のときが０で、シャッタ速度が１段階速くなるごとに数値が１ずつ増える値である。また、ＡＶはＡＰＥＸ単位による絞り値であり、実際の絞りがｆ／１．０のときに０で、絞りが１段階絞り込まれるごとに数値が１ずつ増える値である。ＢＶはＡＰＥＸ単位による被写体輝度あり、ＳＶはＡＰＥＸ単位による露出感度である。
【０００５】
適正な露出とは、電子カメラの撮像素子の結像面に映った被写体の画像の最も明るい点と最も暗い点の露出量が、撮像素子の露出域に収まるように、絞りとシャッタ速度を調整したものである。ＩＳＯ感度が同じであれば、被写体の画像の明るさに関係なく、撮像素子の結像面における露出量の分布範囲が、常に同じ露出域に収まるように調整しなければならない。ＩＳＯ感度が決まると、適正な露出域が決まる。そして、被写体の画像の輝度分布が適正な露出域と一致するように絞りとシャッタ速度を調整する。
【０００６】
電子カメラにおいては、露出感度ＳＶが変更可能である場合に、被写体輝度ＢＶに応じて、絞り値ＡＶ、シャッタ速度ＴＶ、露出感度ＳＶが演算される。適正な露出を得るために露出感度を変更する露出制御装置として、特許文献１に提案されているものがある。特許文献１では、被写体輝度ＢＶと設定された露出感度ＳＶｓとから露出量ＥＶを算出する。そして、算出された露出量ＥＶに基づいて制御絞り値ＡＶｃ及び制御シャッタ速度ＴＶｃを決定する。また、上記の露出量ＥＶ，絞り値ＡＶｃ、シャッタ速度ＴＶｃから露出偏差ΔＥＶを求め、ΔＥＶの値に基づいて露出が適正か否かを判定する。そして、露出が適正でない場合は、設定された露出感度ＳＶｓとΔＥＶの値を用いて制御露出感度ＳＶｃを求め、得られた制御露出感度ＳＶｃを露出感度ＳＶｓの代わりに用いることで、適正な露出量を設定した撮影を実行することができる。
【先行技術文献】
【特許文献】
【０００７】
【特許文献１】特開２００３−１８９１７５号公報
【発明の概要】
【発明が解決しようとする課題】
【０００８】
ところが、上記のような従来の露出制御装置では、被写体の明るさから絞りとシャッタ速度を決定し、必要に応じて露出感度を変更しており、ユーザが設定したＩＳＯ感度の範囲は考慮されていない。そのため、例えばユーザが設定したＩＳＯ感度の範囲内においてＩＳＯ感度を自動変更して撮影を行う場合、ユーザがＩＳＯ感度の上限を上げることで、絞りをより絞ったりシャッタ速度をより速くして撮影することを許容しているにもかかわらず、ＩＳＯ感度を変更する条件は一定であるため、ユーザの意図しない手ぶれや被写体ぶれが発生して撮影が失敗する可能性がある。
【０００９】
本発明は上記の事情に鑑みてなされたものである。本発明の目的は、ユーザによるＩＳＯ感度の変更に応じて絞りとシャッタ速度を決定して、ユーザの意図した撮影をより好適に実行することである。
【課題を解決するための手段】
【００１０】
上記の課題を解決する本発明の一実施形態に係る露出制御装置は、測光して算出される露出量に基づいて、所定のプログラム線図からシャッタ速度及び絞りを設定する露出制御装置であり、撮影に使用するＩＳＯ感度の少なくとも上限値又は下限値を設定するＩＳＯ感度設定手段と、ＩＳＯ感度設定手段によって設定されるＩＳＯ感度の上限値又は下限値に応じて、所定のプログラム線図においてＩＳＯ感度を変更するポイントを決定するＩＳＯ感度変更ポイント決定手段とを有する。これにより、設定されるＩＳＯ感度に応じて、ＩＳＯ感度の変更を急激に又は緩やかに変更することができる。
【００１１】
好ましくは、ＩＳＯ感度変更ポイント決定手段は、ＩＳＯ感度設定手段によるＩＳＯ感度の上限値の増減に合わせて、ＩＳＯ感度を変更するポイントを変える。また、ＩＳＯ感度変更ポイント決定手段は、ＩＳＯ感度設定手段によるＩＳＯ感度の下限値の増減に合わせて、ＩＳＯ感度を変更するポイントを変える。あるいは、ＩＳＯ感度変更ポイント決定手段は、ＩＳＯ感度設定手段によるＩＳＯ感度の範囲の幅の増減に合わせて、ＩＳＯ感度を変更するポイントを変える。そして、ＩＳＯ感度変更ポイント決定手段はさらに、ＩＳＯ感度の範囲の幅の上限値又は下限値に応じて、ＩＳＯ感度を変更するポイントを変える。さらに、本発明の別の実施形態として、上記の露出制御装置を備える電子カメラを提供することもできる。
【発明の効果】
【００１２】
本発明の露出制御装置及び該露出制御装置を備える電子カメラによれば、ＩＳＯ感度が自動的に変更されるようにカメラが設定されている場合に、ユーザが設定したＩＳＯ感度の範囲に応じてプログラム線図におけるＩＳＯ感度が上がるポイントが変わるため、ユーザ設定から判断可能な撮影時のノイズ許容度を加味しつつ、当該ノイズ許容度の範囲内において手ぶれや被写体ぶれを回避して好適な被写界深度を確保した、より失敗の少ない撮影を実現することができる。
【図面の簡単な説明】
【００１３】
【図１】図１は、本発明の実施形態における露出制御装置を備える電子カメラの概略の構成を示すブロック図である。
【図２】図２は、本発明の実施形態において露出制御装置により使用されるプログラム線図の一例である。
【図３】図３は、本発明の実施形態における露出制御処理のフローチャートである。
【発明を実施するための形態】
【００１４】
以下、図面を参照して、本発明の実施形態における露出制御装置及び該露出制御装置を備える電子カメラについて説明する。なお、複数の図にまたがって同じ部材を示す場合は同じ番号を付すこととする。
【００１５】
図１に、本発明の一実施形態における露出制御装置を備える電子カメラ１００の概略の構成を示す。被写体からの光は、レンズ１０を通過する。レンズ１０を通過した光は、絞り１１によって光量が調節される。フォーカルプレーンシャッタ１２は、ＣＰＵ１８により決定されたシャッタ速度に基づいて所定の時間だけ開口し、レンズ１０及び絞り１１を通過した光を撮像素子１３に進行させる。撮像素子１３は、ＣＣＤ（Charge Coupled Device）やＣＭＯＳ（Complementary Metal-Oxide Semiconductor）などからなり、受光した光を光電変換により画像信号に変換して出力する。
【００１６】
撮像素子１３において、光電変換された画像信号は、ＡＦＥ（Analog Front End）によってノイズ除去され、デジタル信号に変換される。撮像素子１３によってデジタル信号に変換された画像信号は、映像エンジン１４に送られる。映像エンジン１４において、画像信号に対して、ホワイトバランス、補正処理、補間処理、マトリクス演算、γ補正、輪郭強調、画像サイズ変換などの種々の画像処理が施される。映像エンジン１４によって画像処理が施された画像信号は、カラー画像としてＬＣＤ（Liquid Crystal Display）１５に表示される。また、映像エンジン１４から出力される画像信号は、図示しないメディアコントローラを経由して電子カメラ１００に挿入されたＳＤメモリカードなどの外部の記録メディアに記憶することもできる。
【００１７】
ＣＰＵ１８は、電子カメラ１００の全体の動作を制御する。また、ＣＰＵ１８は、ユーザからの各種操作の入力部であるスイッチ１９からの制御信号に基づいて、電子カメラ１００内の各部の動作を制御する。なお、以下の制御処理の説明において、ユーザが設定したＩＳＯ感度の範囲内においてＩＳＯ感度が自動的に変更されるように電子カメラ１００が設定されているものとする。例えば、ユーザは、撮影時のカメラぶれなどを防ぐ対策を行ってノイズの少ない高画質の画像を得たいと考えている場合はＩＳＯ感度の上限値を低感度寄りに設定する。また、カメラぶれなどを懸念して、ノイズがある程度発生しても失敗のない画像を得たいと考えている場合はＩＳＯ感度の上限値を高感度寄りに設定する。メモリ１７には、ＣＰＵ１８が実行する種々のプログラムのほか、プログラム線図や感度設定値などの電子カメラ１００の各種制御に必要なデータが格納されている。ＣＰＵ１８は、各種操作に応じてメモリ１７内に格納されたデータを用いて電子カメラ１００の制御を行う。
【００１８】
測光手段としての測光センサ１６は、例えばフォトダイオードなどの光電変換素子から構成されており、被写体輝度に関する情報を得るためのセンサである。測光センサ１６は、格子状に複数に分割された受光センサ部を備えており、撮像素子１３の撮像面の略全体を視野としている。測光センサ１６の出力に対して、ＣＰＵ１８において露出演算が行われ、被写体輝度が算出される。
【００１９】
図２に、本実施形態において使用されるプログラム線図を示す。図２に示すプログラム線図は、ＩＳＯ感度がＩＳＯ４００の場合のプログラム線図である。便宜上、図２において、ＩＳＯ感度を上げる場合、プログラム線図のグラフの形は変わらずにＥＶの各値が大きい側にシフトするものとする。すなわち、例えばＩＳＯ感度をＩＳＯ４００から１レベル上げてＩＳＯ８００に変更した場合、ＩＳＯ８００のプログラム線図は、図２に示すＩＳＯ４００のプログラム線図において、各ＥＶを値の大きい側に１ＥＶずつシフトさせた線図となる。本実施形態においては、測光センサ１６の出力から得られる被写体輝度に基づいてＥＶを求め、得られるＥＶからプログラム線図において規定されるシャッタ速度より遅いシャッタ速度が選択される場合にＩＳＯ感度が上がる。ＩＳＯ感度を上げることにより、得られるＥＶから規定されるシャッタ速度が速くなる。なお、図２からわかるように、シャッタ速度は、ＥＶ換算で１ＥＶごとに変更することができる。さらに、プログラム線図のグラフ上の位置によっては、シャッタ速度と共に絞りも大きくなる。例えば図２の場合、ＥＶが５〜１９の範囲において絞りとシャッタ速度が共に変化する。
【００２０】
次に、本実施形態における、具体的なＩＳＯ感度の上げ方について説明する。本実施形態において、ユーザは、撮影において許容するＩＳＯ感度の範囲を指定する。一般に、手ぶれ限界シャッタ速度は、焦点距離（３５ｍｍフィルム換算値）に依存し、１／焦点距離（秒）として規定される。たとえば、焦点距離が３５ｍｍフィルム換算値で６０ｍｍの場合、１／６０秒が手ぶれ限界シャッタ速度となる。本実施形態のプログラム線図において、ＩＳＯ感度の範囲がユーザ変更前の既定の範囲に設定されている場合、ＩＳＯ感度を上げるポイントは、手ぶれ限界シャッタ速度−１ＥＶに相当するシャッタ速度としている。
【００２１】
図２を参照しながら、ＩＳＯ感度の変更の具体例を説明する。ここでは、電子カメラ１００のレンズ１０の手ぶれ限界シャッタ速度が１／２５０秒であるとする。ユーザは、ＩＳＯ感度設定手段としてのスイッチ１９を操作してＩＳＯ感度の範囲を変更する。まず、ユーザによって設定されたＩＳＯ感度の範囲が、既定の範囲としてＩＳＯ４００−１６００であるとする。このとき、図２の「１」により示すポイント（シャッタ速度１／１２５秒、絞り２）をＩＳＯ感度を上げるポイントとする。また、ユーザがＩＳＯ感度の上限値を高感度側に１レベル上げて、ＩＳＯ４００−３２００に変更した場合、図２の「２」により示すポイント（シャッタ速度１／２５０秒、絞り２．８）をＩＳＯ感度を上げるポイントとする。そして、ユーザがＩＳＯ感度の上限値を高感度側にさらに１レベル上げて、ＩＳＯ４００−６４００に変更した場合、図２の「３」により示すポイント（シャッタ速度１／５００秒、絞り４）をＩＳＯ感度を上げるポイントとする。なお、これらのＩＳＯ感度を上げるポイントの決定や変更は、ＩＳＯ感度変更ポイント決定手段であるＣＰＵ１８により実行される。
【００２２】
電子カメラ１００により測光を行い、測光センサ１６の出力に基づいて得られるＥＶが７であると判定されたとする。このとき、ユーザによるＩＳＯ感度の範囲が既定のＩＳＯ４００−１６００に設定されている場合、図２のプログラム線図より、ＩＳＯ４００においては、ＥＶが７であるとき、シャッタ速度１／１２５秒、絞り２に設定される。既定のＩＳＯ感度の範囲においてＩＳＯ感度を上げるポイントでのシャッタ速度（１／１２５秒）を下回らないため、ＩＳＯ感度は上げずに、ＩＳＯ４００、シャッタ速度１／１２５秒、絞り２にて撮影が実行される。
【００２３】
次に、ユーザがＩＳＯ感度の範囲をＩＳＯ４００−３２００に設定した場合、ＩＳＯ４００におけるプログラム線図によって設定されるシャッタ速度１／１２５秒は、図中「２」により示されるポイントのシャッタ速度１／２５０秒を下回る。ＩＳＯ４００におけるプログラム線図において、シャッタ速度１／２５０秒に相当するＥＶは９である。そこで、使用するプログラム線図をＩＳＯ４００から２レベル上げてＩＳＯ１６００に変更する。ＩＳＯ１６００におけるプログラム線図では、ＥＶが７であるとき、シャッタ速度１／２５０秒、絞り２．８に設定される。したがって、ユーザがＩＳＯ感度の範囲をＩＳＯ４００−３２００に設定した場合は、ＩＳＯ１６００、シャッタ速度１／２５０秒、絞り２．８にて撮影が実行される。
【００２４】
そして、ユーザがＩＳＯ感度の範囲をＩＳＯ４００−６４００に設定した場合、ＩＳＯ４００−３２００に設定した場合と同様に、ＩＳＯ４００におけるプログラム線図によって設定されるシャッタ速度１／１２５秒は、図中「３」により示されるポイントのシャッタ速度１／５００秒を下回る。ＩＳＯ４００におけるプログラム線図において、シャッタ速度１／５００秒に相当するＥＶは１１である。そこで、使用するプログラム線図をＩＳＯ４００から４レベル上げてＩＳＯ６４００に変更する。ＩＳＯ６４００におけるプログラム線図では、ＥＶが７であるとき、シャッタ速度１／５００秒、絞り４に設定される。したがって、ユーザがＩＳＯ感度の範囲をＩＳＯ４００−６４００に設定した場合は、ＩＳＯ６４００、シャッタ速度１／５００秒、絞り４にて撮影が実行される。
【００２５】
なお、使用するプログラム線図のＩＳＯ感度を上げた場合は、各ＥＶはシフトするが、ＩＳＯ感度が上がるポイント、すなわちシャッタ速度と絞りは変わらない。したがって、例えばユーザが設定したＩＳＯ感度がＩＳＯ４００−１６００である場合、ＩＳＯ４００以外のプログラム線図でもＩＳＯ感度を上げるポイントは、シャッタ速度１／１２５秒、絞り２である。
【００２６】
図３に、本実施形態における露出制御のフローチャートを示す。図２の説明と同様に、既定のＩＳＯ感度の範囲はＩＳＯ４００−１６００であり、ユーザがあらかじめＩＳＯ感度を設定しているものとする。まず、電子カメラ１００の測光センサ１６の出力に基づいて得られる被写体輝度に基づいてＥＶが算出される（ステップＳ１０１）。次に、既定のＩＳＯ感度の範囲の下限値であるＩＳＯ４００のプログラム線図において算出されたＥＶに基づいて、シャッタ速度と絞りを決定する（ステップ１０３）。続いて、ステップＳ１０５において、ユーザが設定したＩＳＯ感度の範囲が既定の範囲（ＩＳＯ４００−１６００）であるか否かを判定する。ユーザがＩＳＯ感度の範囲の上限値を既定の範囲の値（ＩＳＯ１６００）から変更している場合は、ステップＳ１０７に進む。ステップＳ１０７において、ユーザが設定したＩＳＯ感度の範囲の上限値に基づいて、プログラム線図においてＩＳＯ感度を上げるポイントを決定する。なお、ステップＳ１０５において、ユーザが既定のＩＳＯ感度の範囲を変更していないと判定された場合は、上述の通り、ＩＳＯ感度を上げるポイントを、手ぶれ限界シャッタ速度−１ＥＶに相当するシャッタ速度としているため、このポイントを変更する必要はない。したがって、ステップＳ１０５からステップＳ１０９に進む。
【００２７】
ステップＳ１０９においては、ステップＳ１０５又はステップＳ１０７において決定されたＩＳＯ感度を上げるポイントと、ステップＳ１０１において算出されたＥＶにより決定されるポイントを比較する。そして、ステップＳ１０１において算出されたＥＶにより決定されるシャッタ速度（ステップＳ１０３において決定されたシャッタ速度）がステップＳ１０５又はステップＳ１０７において決定されたＩＳＯ感度を上げるポイントのシャッタ速度を下回らなくなるまで、ＩＳＯ感度をＩＳＯ４００から１レベルずつ上げていく。なお、ユーザが設定したＩＳＯ感度の上限値までＩＳＯ感度を上げてもステップＳ１０１において算出されたＥＶにより決定されるシャッタ速度が、ステップＳ１０５又はステップＳ１０７において決定されたＩＳＯ感度を上げるポイントのシャッタ速度を下回る場合は、それ以上ＩＳＯ感度を上げずに当該上限値のＩＳＯ感度におけるプログラム線図によって決定されるポイントを採用する。
【００２８】
ステップＳ１０９においてＩＳＯ感度を上げたら、ステップＳ１１１において当該ＩＳＯ感度のプログラム線図を用いてステップＳ１０１において算出されたＥＶからシャッタ速度及び絞りを決定し、ステップＳ１１３に進む。ステップＳ１１３において、ステップＳ１１１において算出されたシャッタ速度及び絞りを用いて撮影を実行する。
【００２９】
したがって、ユーザがＩＳＯ感度の上限値を上げた場合、ＩＳＯ感度を上げることによる撮影画像におけるノイズの発生に対する許容度も高くなるとみなし、被写体輝度が低い場合に、プログラム線図においてより大きな絞りかつより速いシャッタ速度を閾値として、より積極的にＩＳＯ感度を上げて撮影を行うことができる。このため、ノイズ発生の度合いをユーザが許容する範囲内に収めつつ、手ぶれや被写体ぶれを防いで失敗の少ない撮影を実現することができる。
【００３０】
以上が本発明の実施形態についての説明であるが、本発明は上記の構成に限定されるものではなく、本発明の技術的思想の範囲において種々の変形が可能である。例えば、上記の説明では、ユーザはＩＳＯ感度の上限値を変更しているが、下限値を変更した場合でも、ＩＳＯ感度を変更してプログラム線図からシャッタ速度及び絞りを決定することができる。なお、ユーザがＩＳＯ感度の下限値を変更した場合は、ＩＳＯ感度を上げるポイントは、シャッタ速度が遅くなる側にシフトする。すなわち、図２のＩＳＯ４００のプログラム線図では、ユーザがＩＳＯ感度の範囲（ＩＳＯ４００−１６００）の下限値を１レベル下げてＩＳＯ２００に設定した場合、ＩＳＯ感度を上げるポイントは、「４」により示されるポイントになる。
【００３１】
したがって、ＩＳＯ感度の下限値が下げられた場合、ユーザがＩＳＯ感度をできるだけ上げずにシャッタ速度を遅くしてもよいと考えているとみなすことができる。したがって、ＩＳＯ感度が上がるポイントとして既定のポイントよりもシャッタ速度の遅いポイントを設定して、ＩＳＯ感度の上昇を制御することにより、ユーザが意図していると考えられるより遅いシャッタ速度を採用しつつ、好適なＩＳＯ感度における撮影を実現することができる。
【００３２】
また、設定されるＩＳＯ感度の範囲内のＩＳＯ感度のレベル数の増減、すなわちＩＳＯ感度の幅に応じて、ＩＳＯ感度が上がるポイントをシャッタ速度が遅くなる側あるいは速くなる側にシフトさせる構成とすることで、ユーザによるＩＳＯ感度の変更により柔軟に対応したＩＳＯ感度の選択を行うことができる。
【００３３】
上述の実施形態におけるプログラム線図を用いて説明すると、例えば、ＩＳＯ４００−１６００の２レベルの幅を基準として、このＩＳＯ感度範囲に対するＩＳＯ感度を上げるポイントを「１」により示されるポイントとする。この場合、ユーザがＩＳＯ感度をＩＳＯ４００−６４００の４レベルまで幅を広げた場合、ＩＳＯ感度を上げるポイントを「２」あるいは「３」により示されるポイントに変更する。また、ユーザがＩＳＯ感度をＩＳＯ４００−１６００からＩＳＯ１００−１６００に変更した場合も、ＩＳＯ感度の幅が４レベルまで広げられているため、ＩＳＯ４００−６４００に変更した場合と同様に、ＩＳＯ感度を上げるポイントを「２」あるいは「３」により示されるポイントに変更する。このように、ユーザによって変更されたＩＳＯ感度の幅に基づいてＩＳＯ感度を上げるポイントを変更することでも、本発明の効果を達成することができる。
【００３４】
さらに、ユーザが設定したＩＳＯ感度の幅だけでなく、ＩＳＯ感度の上下限を加味してＩＳＯ感度を上げるポイントを変更することもできる。例えば、ＩＳＯ１００−１６００に設定された場合とＩＳＯ４００−６４００に設定された場合を考える。いずれもＩＳＯ感度の幅は４レベルで同じであるが、ＩＳＯ１００−１６００の方が低感度寄りのＩＳＯ感度範囲であることから、ＩＳＯ感度を上げるポイントを「１」により示されるポイントから「３」ではなく「２」により示されるポイントに変更する。また、ＩＳＯ４００−６４００は高感度寄りのＩＳＯ感度範囲であることから、ＩＳＯ感度を上げるポイントを「１」により示されるポイントから「２」ではなく「３」により示されるポイントに変更する。このように同じ幅のＩＳＯ感度範囲でも、低感度寄りの範囲であればユーザはノイズをより懸念し、高感度寄りの範囲であればカメラぶれなどをより懸念しているとみなしてＩＳＯ感度を上げるポイントの変更の度合いを変えることで、より正確にユーザの意図を反映した撮影を行うことができる。
【００３５】
さらに、上記の説明では、ユーザはシャッタ速度や絞り値を指定していないが、シャッタ速度又は絞り値が固定された場合でも、測光により算出されたＥＶと固定されたシャッタ速度又は絞り値に基づいてＩＳＯ感度が上がるポイントを決定し、決定されたポイントに基づいてプログラム線図に従ってＩＳＯ感度を変更することで、上記と同様にユーザが意図した画像を撮影することができる。
【００３６】
そして、上記の説明では、ＩＳＯ感度を上げるポイントをシャッタ速度を基準として決定しているが、絞りを基準として決定することもできる。なお、絞りを基準とする場合は、使用する各レンズの開放絞りを加味してＩＳＯ感度を上げるポイントを決定する。また、上記の説明では測光センサの出力に基づいて被写体輝度を算出しているが、代わりに撮像素子の出力に基づいて被写体輝度を算出してもよい。
【符号の説明】
【００３７】
１０    レンズ
１１    絞り
１３    撮像素子
１６    測光センサ
１７    メモリ
１８    ＣＰＵ
１９    スイッチ
１００    電子カメラ
【図１】
0005573436.tif 000002
【図２】
0005573436.tif 000003
【図３】
0005573436.tif 000004